(57)【要約】【課題】      相対する磁石と導電体の移動側の移動距離を大きくして低速回転時の制動力を極力減らすことができる魚釣用両軸受型リ−ルを提供すること。【解決手段】  磁気制動装置Ｄは非磁性導電体12と支持部材６と磁石15と付勢部材のバネ部材16で構成され、軸受支持部２に非磁性導電体12が固定され、非磁性導電体12は形状が筒状環であると共に開口側12ａが中心方向に傾斜して形成されている。  スプ−ル軸４に圧入固定された支持部材６は、棒状材で形成されて長さの中心部6aはスプ−ル軸４に直交するように穿設された透孔に圧入嵌合して固定され、支持部材６の両側支持部6bは、スプ−ル軸４の回転軸芯と直行する方向に対して両端部が側板Ｂ方向に傾斜して非磁性導電体12の開口側12ａの傾斜角と略同一の角度に傾斜させて支持部６ｂには磁石15が支持部の軸方向に移動自在に嵌合され、磁石15はバネ部材16で非磁性導電体12から離間する方向に付勢されている。【選択図】        図２
2005073667.tif 000002
【特許請求の範囲】
【請求項１】
リ−ル本体の一側に非磁性導電体を取り付け、リ−ル本体に回転自在に支持したスプ−ルの一側にスプ−ルと一体的に回転する支持部材を設け、前記支持部材に磁石を移動可能に支持すると共に、磁石を前記非磁性導電体から離間する方向に付勢する付勢部材を設け前記支持部材と付勢部材で制御手段を構成し、前記制御手段で前記スプ−ルに作用する磁気制動力を増減可能に制御する磁気制動装置を備えた魚釣用両軸受型リ−ルにおいて、前記支持部材を前記スプ−ルの回転軸芯と直行する方向に対して前記導電体側に傾斜させたことを特徴とする魚釣用両軸受型リ−ル。
【請求項２】
リ−ル本体の一側に磁石を取り付け、リ−ル本体に回転自在に支持したスプ−ルの一側にスプ−ルと一体的に回転する支持部材を設け、前記支持部材に非磁性導電体を移動可能に支持すると共に、非磁性導電体を前記磁石から離間する方向に付勢する付勢部材を設け前記支持部材と付勢部材で構成された制御手段とし、前記制御手段で前記スプ−ルに作用する磁気制動力を増減可能に制御する磁気制動装置を備えた魚釣用両軸受型リ−ルにおいて、前記支持部材を前記スプ−ルの回転軸芯と直行する方向に対して前記磁石側に傾斜させたことを特徴とする魚釣用両軸受型リ−ル。
【請求項３】
前記支持部材はスプ−ルとは別体でかつスプ−ルに着脱可能に取り付け固定されていることを特徴とする請求項１又は２記載の魚釣用両軸受型リ−ル。
【発明の詳細な説明】
【技術分野】
【０００１】
本発明は、スプ−ル軸の外周に設けたバックラッシュ装置（磁気制動装置）を改良した魚釣用両軸受型リ−ルの改良に関する。
【背景技術】
【０００２】
従来魚釣用両軸受型リ−ルには、仕掛け投擲時におけるスプ−ルの過回転を抑止する為のバックラッシュ防止装置を備えたものが数多く存在する。
前記バックラッシュ防止装置は、スプ−ル側に配置された導電体と、該導電体に対向するように配置された磁石の間に発生する渦電流を用いてスプ−ルに制動力を付与するマグネットブレ−キ装置と、スプ−ル側に配置された遠心カラ−をスプ−ルの高速回転で発生する遠心力で径方向外側に移動させ、リ−ル本体側のリングに押付けて制動力を発生させる遠心ブレ−キ装置と、大きく分けて２つのダイプが一般的に用いられている。
しかし、前記マグネットブレ−キ装置は、仕掛け投擲時の後期に制動力が強すぎるため着水時の失速が大きく、遠心ブレ−キ装置は仕掛け投擲時の初期に制動力が強すぎるためスプ−ル回転数の上昇が抑えられてしまい、何れも仕掛け投擲時の仕掛けの飛距離が短くなり過ぎる不具合が指摘されていた。
【０００３】
前記不具合を改善したものとして特許文献１及び２で、リ−ル本体に導電体を取り付け、導電体に相対する磁石をスプ−ル側で移動可能に支持し、バネ部材を用いてスプ−ルの回転速度に応じて磁石を移動させて、リ−ル本体側の導電体とスプ−ル側磁石の相対位置を変更することで、スプ−ルへの制動力を回転速度に応じて制御するバックラッシュ防止装置が広く知られている。
【特許文献１】実公平３−１０８６６号
【特許文献１】特開平１０−２６２５２０号
【発明の開示】
【発明が解決しようとする課題】
【０００４】
解決しようとする問題点は、前記特許文献１は磁石をバネ部材で支持し、スプ−ルの回転速度に応じて磁石の径方向移動でリ−ル本体側の導電体と対向させて制動力を発生させる構成であるが、回転速度の上昇で磁石が移動する際、磁石の移動方向が径方向のみであり、軸方向移動が無い為、磁石と導電体との離間距離を充分に確保できず、常にブレ−キ力が作用するので仕掛け着水の直前にブレ−キ力が強すぎる不具合があった。
また、磁石と導電体の対向位置における距離の変化が少なく、ブレ−キ力の変化が急激になり過ぎる不具合が指摘されている。
また、特許文献１は、スプ−ルの低速回転時に磁石を径方向内側に形成した円周面に摺接させてさらに制動力を付与する構成なので、低速時の制動力が更に増し、仕掛け着水時の失速が更に大きくなり、飛距離が短くなる上に、巻取り操作時にも制動力が常に加わる状態となりハンドル回転が重くなる不具合を生じる。
【０００５】
前記特許文献２は、前記特許文献１の不具合を解消するべく、磁石を径方向と軸方向の双方に移動可能に支持している。
しかし、特許文献２はスプ−ル軸上の支軸に一対の揺動部材を支持し、揺動部材に磁石が支持される構成であり、さらに揺動部材をバネ部材で付勢することでスプ−ルの回転速度に応じた磁石移動を行っている構成なので、スプ−ル側に支持される部材が多く、コストが掛かるので高価格帯の製品にしか用いることが出来ないのが現状である。
またスプ−ル軸と一体回転する部材の数が多いので、スプ−ル回転時の重量が重く慣性モ−メントが増大するので、ブレ−キ力を強めにする為に磁石を強力にする必要があり、さらにコストが掛かるため、改善が望まれていた。
【０００６】
本発明の目的は前記欠点に鑑み、相対する磁石と導電体の移動側の移動距離を大きくしてリ−ルの大型化を防ぎながら低速回転時の制動力を極力減らすことができる魚釣用両軸受型リ−ルを提供することである。
【課題を解決するための手段】
【０００７】
本発明の請求項１は、リ−ル本体の一側に非磁性導電体を取り付け、リ−ル本体に回転自在に支持したスプ−ルの一側にスプ−ルと一体的に回転する支持部材を設け、前記支持部材に磁石を移動可能に支持すると共に、磁石を前記非磁性導電体から離間する方向に付勢する付勢部材を設け前記支持部材と付勢部材で構成された制御手段とし、前記制御手段で前記スプ−ルに作用する磁気制動力を増減可能に制御する磁気制動装置を備えた魚釣用両軸受型リ−ルにおいて、前記支持部材を前記スプ−ルの回転軸芯と直行する方向に対して前記導電体側に傾斜させたことを要旨とするものである。
【０００８】
本発明の請求項２は、リ−ル本体の一側に磁石を取り付け、リ−ル本体に回転自在に支持したスプ−ルの一側にスプ−ルと一体的に回転する支持部材を設け、前記支持部材に非磁性導電体を移動可能に支持すると共に、非磁性導電体を前記磁石から離間する方向に付勢する付勢部材を設け前記支持部材と付勢部材で構成された制御手段とし、前記制御手段で前記スプ−ルに作用する磁気制動力を増減可能に制御する磁気制動装置を備えた魚釣用両軸受型リ−ルにおいて、前記支持部材を前記スプ−ルの回転軸芯と直行する方向に対して前記磁石側に傾斜させたことを要旨とするものである。
本発明の請求項３は、前記支持部材はスプ−ルとは別体でかつスプ−ルに着脱可能に取り付け固定されていることを要旨とするものである。
【発明の効果】
【０００９】
請求項１の本発明により、磁気制動装置における磁石を移動可能に支持する支持部材の支持部を傾斜させたことにより、磁石の移動側が径方向移動しながら軸方向移動するので、移動側の移動距離を大きくすることが可能となり、少ないスペ−スで磁石と非磁性導電体の離間距離を大きく出来、リ−ルの大型化を防ぎながら、低速回転時の制動力を極力減らすことが可能となる。
磁石の移動を支持部材の傾斜した支持部と付勢部材のコイルスプリンクからなるバネ部材のみで構成して制御し、スプ−ル軸の回転軸芯に対する径方向及び軸方向の双方に移動可能に支持できるので、部品点数を大幅に減らすことが出来る。
さらに部品点数が少なくなる事によりスプ−ル側に支持される部材全体の重量を大幅に減じることが可能となるので、スプ−ルの慣性モ−メントが大幅に小さくなり、制動力を減らしても充分に制動可能となる。
【００１０】
請求項２の本発明により、磁気制動装置における非磁性導電体を移動可能に支持する支持部材の支持部を傾斜させたことにより、非磁性導電体の移動側が径方向移動しながら軸方向移動するので、移動側の移動距離を大きくすることが可能となり、少ないスペ−スで磁石と非磁性導電体の離間距離を大きく出来、リ−ルの大型化を防ぎながら、低速回転時の制動力を極力減らすことが可能となる。
非磁性導電体の移動を支持部材の傾斜した支持部と付勢部材のコイルスプリンクからなるバネ部材のみで構成して制御し、スプ−ル軸４の回転軸芯に対する径方向及び軸方向の双方に移動可能に支持できるので、部品点数を大幅に減らすことが出来る。
さらに部品点数が少なくなる事によりスプ−ル側に支持される部材全体の重量を大幅に減じることが可能となるので、スプ−ルの慣性モ−メントが大幅に小さくなり、制動力を減らしても充分に制動可能となる。
【００１１】
請求項３の本発明により、支持部材がスプ−ル軸に着脱可能になるので、異なる傾斜角度の支持部を固定した支持部材や異なるバネ力のバネ部材を取り付けた支持部材を複数用意しておくことで、制動特性を容易に変更させることが可能となる。
【発明を実施するための最良の形態】
【００１２】
反ハンドル側側板Ｂの軸受支持部２の環状凸部２ｅの先端外周と筒部２ｄの内周の間に磁気制動装置Ｄの非磁性導電体１２が筒部２ｇの前側に載るように配置固定され、非磁性導電体１２は形状が筒状環であると共に開口側１２ａが中心方向に傾斜して形成されている。
スプ−ル軸４の太径部４ｂに圧入固定された磁気制動装置Ｄの支持部材６は、棒状材で形成されて長さの中心部６ａはスプ−ル軸４に直交するように穿設された透孔に圧入嵌合されて固定され、支持部材６の両側支持部６ｂ、６ｂは図１、図２のように、スプ−ル軸４の回転軸芯と直行する方向に対して支持部材６の両端部が反ハンドル側側板Ｂ方向に傾斜して前記非磁性導電体１２の開口側１２ａの傾斜角と略同一の角度に傾斜させている。
支持部６ｂ、６ｂには夫々磁石１５、１５が支持部の軸方向に移動自在に嵌合されている。
磁石１５にはバネ掛け部１５ａが設けられてスプ−ル軸４に固定されたバネ掛け部材１４との間に付勢部材のコイルスプリンクからなるバネ部材１６が張設されている。
【実施例１】
【００１３】
以下、図示の実施例によって本発明を説明すると、図１から図５は第１実施例で、図１は魚釣用両軸受型リ−ルの要部断面平面図、図２は魚釣用両軸受型リ−ルの反ハンドル側の要部拡大断面平面図、図３は非磁性導電体の外観側面図、図４は非磁性導電体のハンドル側から見た外観側面図、図５は魚釣用両軸受型リ−ルのハンドル側の要部拡大断面平面図である。
【００１４】
魚釣用両軸受型リ−ルは、リ−ル本体Ａが側枠１と側板Ｂ、Ｃで構成されている。
側枠１の左右両側枠１ａ、１ｂが図示しない複数本の支柱とリ−ル脚の固定板で一体的に平行に保持されて左右両側枠１ａ、１ｂの外側には夫々側板Ｂ、Ｃが取り付けられている。
側板Ｂは軸受支持部２と外側カバ−１０とで構成されている。
側板Ｃは軸受支持部３と外側カバ−１０′とで構成されている。
側板Ｂ側の左側枠１ａには、左側面に突出部１ｃが、右側面に突出部１ｄが形成されて突出部１ｃ、１ｄ内に大径の透孔１ｅが形成されている。
左側枠１ａの左側面には外周より小径の筒部１ｆが形成され、筒部１ｆ外周にネジ部１ｇが形成されている。
【００１５】
側板Ｂの軸受支持部２は湾曲円板２ａに形成されて湾曲円板２ａの外周部２ｂに断面Ｌ字形の外側に向けた突部２ｃが形成されている。
突部２ｃは筒部１ｆの内側に挿入される。
湾曲円板２ａの内側に大径の筒部２ｄと小径の環状凸部２ｅが形成されている。
大径の筒部２ｄは大径の透孔１ｅに嵌合されて筒部２ｄの外周に周溝２ｆが形成され、筒部２ｄのリ−ル前後方向の後側は外周部２ｂと一体に形成されている。
大径の筒部２ｄと小径の環状凸部２ｅの中間には筒部２ｇが形成されている。
環状凸部２ｅ内には軸受１１が挿入されて軸受１１にスプ−ル軸４の小径部４ａが軸承されている。
【００１６】
環状凸部２ｅの先端外周と筒部２ｄの内周には磁気制動装置Ｄの非磁性導電体１２が筒部２ｇの突出端近傍に載るように配置固定されている。
非磁性導電体１２は形状が筒状環であると共に開口側１２ａが中心方向に傾斜して形成されている。
側板Ｂの外側カバ−１０はリング状に形成されて軸受支持部２の外周部２ｂに嵌合される内径の透孔１０ａとネジ部１ｇに螺合されるネジ部１０ｂが形成されている。
側板Ｂが組み立てられる時は、軸受支持部２の筒部２ｄ先端が左側枠１ａの大径の透孔１ｅに嵌合されると共に周溝２ｆにＯリング１３が嵌合されて突出部１ｄに押し当てられ、外側カバ−１０のネジ部１０ｂが左側枠１ａのネジ部１ｇに螺合されて組み立てられる。
【００１７】
スプ−ル軸４は軸受１１で軸承された左側の小径部４ａと、右側枠１ｂの筒部１ｈ内に設けられた軸受１７で軸承された太径部４ｂと、小径部４ａと太径部４ｂの間の鍔部４ｃと周溝４ｄと、軸受１７で軸承された太径部４ｂから突出した小径部４ｅとで形成されている。
小径部４ａはスラスト軸受１８に当接されている。
スプ−ル軸４の太径部４ｂにはスプ−ル５の筒部５ａが嵌合固定され、太径部４ｂの小径部４ａ側には磁気制動装置Ｄの支持部材６が圧入固定されバネ掛け部材１４が嵌合固定されている。
スプ−ル５はスプ−ル軸４の太径部４ｂに嵌合固定される筒部５ａと、釣糸が巻回される釣糸巻回胴部５ｂと、左右のフランジ部５ｃ、５ｄとで形成されている。
スプ−ル５のフランジ部５ｃ外周は大径の透孔１ｅに挿入されている。
【００１８】
スプ−ル軸４の太径部４ｂに圧入固定された磁気制動装置Ｄの支持部材６は、棒状材で形成されて長さの中心部６ａはスプ−ル軸４に直交するように穿設された透孔に圧入嵌合されて固定されている。
支持部材６の両側支持部６ｂ、６ｂは図１、図２のように、スプ−ル軸４の回転軸芯と直行する方向に対して端部が側板Ｂ方向に傾斜して前記非磁性導電体１２の開口側１２ａの傾斜角度と略同一の角度に傾斜させている。
支持部６ｂ、６ｂには夫々磁石１５、１５が支持部の軸方向に移動自在に嵌合されている。
磁石１５にはバネ掛け部１５ａが設けられてスプ−ル軸４に固定されたバネ掛け部材１４との間に付勢部材のコイルスプリンクからなるバネ部材１６が張設されている。
支持部材６と付勢部材で磁気制動装置Ｄの制御手段が構成されている。
【００１９】
右側枠１ｂ側の軸受１７が設けられた筒部１ｈの透孔と連通する透孔内に設けられた他の軸受２６でピニオン７の大径の軸筒７ａが、右側側板Ｃの軸受支持部３に固定された軸筒２７内に取り付けられた軸受２８でピニオン７の小径の軸筒７ｂが夫々回転自在にかつ軸方向に移動可能に軸承されている。
ピニオン７の中心孔７ｃに押圧軸杆２９が軸方向に移動可能に嵌合されている。
軸受１７から右側に突出したスプ−ル軸４の小径部４ｅにはクラッチ機構を構成するピンからなる係合突起３０が固定されると共に小径部４ｅはピニオン７の大径孔７ｄに挿入されて押圧軸杆２９の一側が当接されている。
ピニオン７の大径の軸筒７ａの一側端面にはクラッチ機構を構成する係合溝７ｅが回転軸芯に直交するように形成され、係合突起３０は係合溝７ｅに係脱自在に挿入されている。
【００２０】
右側側板Ｃの軸受支持部３に固定された軸筒２７の外側外周にはネジ部が形成されて押圧ツマミ３１が螺合され、押圧ツマミ３１内に小判形の回り止め凹部が形成されて押圧軸杆２９の他側の回り止め部が係合されると共に押圧軸杆２９の他側端は押圧ツマミ３１内のスラスト軸受３２に当接されている。
ピニオン７の大径の軸筒７ａの外周にピニオン歯７ｆと周溝７ｇが形成されている。
ピニオン歯７ｆにはハンドル軸８に摩擦結合された駆動歯車３３が噛合されている。
周溝７ｇにはクラッチ機構を構成する作動体３４が係合されている。
【００２１】
右側枠１ｂの外側には図示しない支柱が固定されて作動体３４と図示しない発条が嵌合され、作動体３４は発条でスプ−ル軸４の係合突起３０とピニオン７の係合溝７ｅが係合される方向に付勢されている。
ピニオン７の大径の軸筒７ａの外側の右側枠１ｂの孔縁にはクラッチ操作環３５が回動自在に嵌合されて作動体３４が当接され、クラッチ操作環３５に図示しないクラッチ操作レバ−が連結されている。
クラッチ操作環３５には作動体３４が操作されるカム３５ａが設けられている。
ハンドル軸８は右側枠１ｂに設けられた軸受３６と軸受支持部３に取り付けられた軸受３７で軸承され、軸受３７の右外側のハンドル軸８には回り止め部８ａとネジ部８ｂが形成されて回り止め部８ａにハンドル３８が回り止め嵌合されてネジ部８ｂにはドラグ調整ノブ３９が螺合されている。
軸受３６は右側枠１ｂの凹部に挿入されて抜け止め板４０で抜け止めされている。
【００２２】
ハンドル軸８には軸受３６に嵌合される大径部８ｃと小径部８ｄと鍔部８ｅと小判形の回り止め部８ｆが形成された太径部８ｇとが形成されている。
大径部８ｃの一端はスラスト軸受４１に当接されている。
回り止め部８ｆの外周には爪車４２と歯車４３と駆動歯車３３と押圧板４４と筒状ドラグ押圧部４５と発条板４６、４７と軸受３７が嵌合され、爪車４２と押圧板４４と筒状ドラグ押圧部４５はハンドル軸８に回り止め嵌合されている。
歯車４３は駆動歯車３３に係合されている。
【００２３】
駆動歯車３３と押圧板４４の間には摩擦制動部材Ｅが挾み込まれてドラグ制動機構が構成されている。
筒状ドラグ押圧部４５の外周には転がり式一方向クラッチＦの複数個の棒状転がり部材４８が載せられている。
転がり式一方向クラッチＦは軸受支持部３の外径が二段の筒部３ａの中に支持されている。
転がり式一方向クラッチＦによってスプ−ル５に図示しない釣糸が巻回される方向にハンドル３８が回転可能で、ハンドル３８は逆方向に回転不能に構成されている。
転がり式一方向クラッチＦは、外輪４９の内側に保持器５０が装着されて保持器５０の複数個の収容孔に楔作用する棒状転がり部材４８と図示しない発条が収容されている。
外輪４９の内周面４９ａには凹部で棒状転がり部材４８の図示しない自由回転域と棒状転がり部材４８が当接されて回転が阻止される図示しない阻止面が構成されている。
【００２４】
側板Ｃ側の右側枠１ｂは、外周が右側に延びて筒部１ｉが形成され、筒部１ｉの先端に中心に向かって鍔部１ｊが形成されて鍔部１ｊの位置の外周には段部で筒部１ｉより小径の小径部１ｋが形成されている。
鍔部１ｊの複数箇所にネジ孔１ｍが形成されている。
側板Ｃ側の軸受支持部３は円板部３ｂの右側面に前記軸筒２７が一体的に固定されると共に前記外径が二段の筒部３ａが形成され、左側面に筒部３ｃが形成されると共に筒部３ｃの外側に外側に向けて鍔部３ｄが形成されて鍔部３ｄの複数箇所に透孔３ｅが形成されている。
側板Ｃ側の外側カバ−１０′はリング状に形成されて右側枠１ｂの筒部１ｉより小径の小径部１ｋと軸受支持部３の鍔部３ｄの外周に嵌合される筒部１０ｃと、筒部３ｃの外周に嵌合される透孔１０ｄが形成されている。
【００２５】
側板Ｃが組み立てられる時は、右側枠１ｂの鍔部１ｊに軸受支持部３の鍔部３ｄが重ねられてビス５１で固定され、右側枠１ｂの小径部１ｋと軸受支持部３の鍔部３ｄの外周に外側カバ−１０′の筒部１０ｃと透孔１０ｄ内周面が嵌合されて接着固定される。
右側枠１ｂの小径部１ｋと軸受支持部３の鍔部３ｄの外周にネジ部を形成し、外側カバ−１０′の筒部１０ｃと透孔１０ｄ内にネジ部を形成して螺合してもよい。
【００２６】
魚釣用両軸受型リ−ルの動作は、スプ−ル軸４の係合突起３０とピニオン７の係合溝７ｅが係合されたクラッチ機構のクラッチＯＮ状態でスプ−ル５に釣糸が巻回される方向にハンドル３８が回転されると、ハンドル軸８と駆動歯車３３とピニオン７とスプ−ル軸４を介してスプ−ル５に釣糸が巻回される。
この時ハンドル軸８が正回転されると、転がり式一方向クラッチＦの棒状転がり部材４８が自由回転域に移動して楔作用しない非作動状態となり、ハンドル軸８は正回転が可能となる。
次にスプ−ル５が釣糸の繰り出しで逆回転されると、ハンドル軸８が逆回転されて転がり式一方向クラッチＦの棒状転がり部材４８が阻止面に移動して楔作用する作動状態となり、ハンドル軸８の逆回転が阻止されてロック状態になる。
ハンドル軸８に摩擦制動部材Ｅで摩擦結合された駆動歯車３３のドラグ制動力が強弱に調整される時は、ドラグ調整ノブ３９が回動されると、筒状ドラグ押圧部４５が前後に移動される。
【００２７】
そして、前記クラッチ機構の図示しない公知のクラッチ操作具を操作してスプール軸４の係合突起３０とピニオン７の係合溝７ｅとの係合が解除されて離間したクラッチＯＦＦ状態とし、スプール５のフリー回転状態に切換えることで、仕掛けの投擲が可能な釣糸放出状態となる。
この時釣り人が仕掛けの投擲を行う際のスプールフリー回転に、バックラッシュ防止装置である磁気制動装置Ｄが適度な制動力を付与することで、スプール５の過回転によるバックラッシュ現象を効果的に防ぎ、安定した仕掛け投擲操作を実現する。
【００２８】
具体的には、スプ−ル軸４とスプ−ル５の回転に磁気制動が掛けられる時は、スプ−ル軸４の回転で支持部材６が回転されると共に、支持部材６の支持部６ｂ、６ｂに嵌合されて前後に移動可能な磁石１５と磁石１５が付勢部材のコイルスプリンクからなるバネ部材１６に抗して軸受支持部２に固定された非磁性導電体１２に向かってスプ−ル軸４を中心に回転されながら前進されて磁石１５と磁石１５が非磁性導電体１２の中に進入されて掛けられる。
スプ−ル軸４とスプ−ル５と支持部材６の回転速度に対応して磁石１５と磁石１５の移動量が変化し、移動量に応じて非磁性導電体１２の中に進入して磁気制動装置Ｄが作動することになる。
前記説明では支持部材６を１本としたが、複数本としてもよい。
【００２９】
前記支持部材６の支持部６ｂ、６ｂの傾斜角度と、前記バネ部材１６のバネ力によって次のような状態が作り出される。
傾斜角度が大きい時は（遠心力による径方向移動力大）
磁石１５の移動が早い→制動力発生タイミング早い→初心者向き
傾斜角度が小さい時は（遠心力による径方向移動力小）
磁石１５の移動が遅い→制動力発生タイミング遅い→飛距離大
バネ力小（遠心力による径方向移動力大）
制動力発生タイミング早く磁石の戻りが遅い→初心者向き
バネ力大（遠心力による径方向移動力小）
制動力発生タイミング遅く磁石の戻りが早い→飛距離大
等、様々な状況に応じた制動状態に容易に対応可能となる。
尚、制動力の変更手段の一例として前記の如く支持部材の傾斜角度とバネ部材のバネ力の変更について示したが、その組み合わせは前記の構成に限定されることは無く、用途に応じて適宜変更可能であり、また前記の変更手段に加えて磁力の変更や遠心力により作用する移動側部材の重量の変更等を組み合わせることで、更に細かい調節が可能となることは言うまでもない。
【００３０】
前記のように魚釣用両軸受型リ−ルが構成されると、磁気制動装置Ｄにおける磁石１５を移動可能に支持する支持部材６の支持部６ｂを傾斜させたことにより、磁石１５の移動側が径方向移動しながら軸方向移動するので、移動側の移動距離を大きくすることが可能となり、少ないスペ−スで磁石１５と非磁性導電体１２の離間距離を大きく出来、リ−ルの大型化を防ぎながら、低速回転時の制動力を極力減らすことが可能となる。
磁石１５の移動を支持部材６の傾斜した支持部６ｂと付勢部材のコイルスプリンクからなるバネ部材１６のみで構成して制御し、スプ−ル軸４の回転軸芯に対する径方向及び軸方向の双方に移動可能に支持できるので、部品点数を大幅に減らすことが出来る。
さらに部品点数が少なくなる事によりスプ−ル側に支持される部材全体の重量を大幅に減じることが可能となるので、スプ−ルの慣性モ−メントが大幅に小さくなり、制動力を減らしても充分に制動可能となる。
【００３１】
磁石を金属磁性材を用いて着磁する代わりに、磁性粉末を混練した合成樹脂を成形して着磁した樹脂製磁石とすることで更に軽量にすることも可能である。
この場合、形状自由度が大きくなり、引っ張りバネ係止部や支軸挿通孔の加工が容易となる効果がある。
【００３２】
図６は第１実施例の変形例で、図６は魚釣用両軸受型リ−ルの反ハンドル側の要部拡大断面平面図である。
【００３３】
第１実施例の変形例は、磁気制動装置Ｄの非磁性導電体１２から磁石１５を離間付勢する付勢部材のバネ部材を板バネで構成した例で、板バネからなるバネ部材５２の中間はスプ−ル軸４の太径部４ｂ外周に沿って固定され、両端は夫々Ｕ字状に形成されて磁石１５に支持された軸部５３に回動自在に支持されている。
他の構成は前記第１実施例と略同一である。
【実施例２】
【００３４】
図７は第２実施例で、図７は魚釣用両軸受型リ−ルの反ハンドル側の要部拡大断面平面図である。
【００３５】
第２実施例では、スプ−ル軸４の太径部４ｂ外周に回り止め部４ｆと周溝４ｇが形成されて太径部４ｂ外周に筒状の支持部材６′が回り止め嵌合されてＥリング５４で移動止めされている。
筒状の支持部材６′の筒部６ｃ外周には棒状の支持部６ｄ、６ｄが傾斜して一端が固定されている。
さらに筒部６ｃ外周にはバネ掛け部材１４が固定されて磁石１５のバネ掛け部１５ａとの間に付勢部材のコイルスプリンクからなるバネ部材１６が張設されている。
他の構成は前記第１実施例と略同一である。
【００３６】
第２実施例のようにスプ−ル軸４の太径部４ｂ外周に筒状の支持部材６′が回り止め嵌合されて移動止めされていると、支持部材６′がスプ−ル軸４に着脱可能になるので、異なる傾斜角度の支持部６ｄ、６ｄを固定した支持部材６′や異なるバネ力のバネ部材を取り付けた支持部材６′を複数用意しておくことで、制動特性を容易に変更させることが可能となる。
【実施例３】
【００３７】
図８、図９は第３実施例で、図８は魚釣用両軸受型リ−ルの反ハンドル側の要部拡大断面平面図、図９は支持部材の側面図と一部拡大側面図である。
【００３８】
第３実施例では、筒状の支持部材６″の筒部６ｃ外周には板状の支持部６ｅ、６ｅが傾斜して一端が固定されるように一体に形成されている。
支持部６ｅ、６ｅには長手方向に長孔６ｆが形成されている。
支持部６ｅ、６ｅのスプ−ル軸４側には夫々磁石５５が長手方向に移動可能に取り付けられている。
磁石５５は本体５５ａに長孔６ｆの中に嵌まる形状寸法の凸部５５ｂと突部５５ｃが一体に形成されてＥリング５６で抜け止めされると共に突部５５ｃに付勢部材のコイルスプリンクからなるバネ部材１６の一端が掛け止めされている。
他の構成は前記第１実施例と略同一である。
【実施例４】
【００３９】
図１０は第４実施例で、図１０は魚釣用両軸受型リ−ルの反ハンドル側の要部拡大断面平面図である。
【００４０】
第４実施例では、スプ−ル軸４の太径部４ｂ外周に筒状の支持部材６′が回り止め嵌合されてＥリング５４で移動止めされ、筒状の支持部材６′の筒部６ｃ外周には棒状の支持部６ｄ、６ｄが傾斜して一端が固定されている。
支持部６ｄ、６ｄには夫々磁石１５が移動可能に嵌合されると共に磁石１５に凹部１５ｂが形成されて支持部６ｄ、６ｄの外周に嵌合された付勢部材のコイルスプリンクからなるバネ部材１６の一側が挿入されている。
支持部６ｄ、６ｄの先端には周溝が形成されてＥリング５７が係止されてバネ部材１６が抜け止めされている。
他の構成は前記第１実施例と略同一である。
【実施例５】
【００４１】
図１１は第５実施例で、図１１は魚釣用両軸受型リ−ルの反ハンドル側の要部拡大断面平面図である。
【００４２】
第５実施例では、スプ−ル軸４の太径部４ｂに棒状材で形成された磁気制動装置Ｄの支持部材６の長さの中心部６ａがスプ−ル軸４に直交するように穿設された透孔に圧入嵌合されて固定されている。
支持部材６の両側支持部６ｂ、６ｂはスプ−ル軸４の回転軸芯と直行する方向に対して上下方向に傾斜して形成されている。
支持部６ｂ、６ｂには非磁性導電体９の軸部９ａが回り止めされると共に移動可能に嵌合されている。
非磁性導電体９の軸部９ａにはバネ掛け部９ｂが設けられてスプ−ル軸４に固定されたバネ掛け部材１４との間に付勢部材のコイルスプリンクからなるバネ部材１６が張設されている。
軸部９ａの前側には半円筒の導電部９ｃが一体に形成されている。
【００４３】
側板Ｂの軸受支持部２の環状凸部２ｅの先端外周と筒部２ｇには磁気制動装置Ｄの磁石保持体５８が固定されている。
磁石保持体５８は筒状環５８ａの内側に大径のリング状磁石５９と小径のリング状磁石６０が固定されている。
他の構成は前記第１実施例と略同一である。
【００４４】
第５実施例のように魚釣用両軸受型リ−ルが構成されると、磁気制動装置Ｄにおける非磁性導電体９を移動可能に支持する支持部材６の支持部６ｂを傾斜させたことにより、非磁性導電体９の移動側が径方向移動しながら軸方向移動するので、移動側の移動距離を大きくすることが可能となり、少ないスペ−スで磁石５９、６０と非磁性導電体９の離間距離を大きく出来、リ−ルの大型化を防ぎながら、低速回転時の制動力を極力減らすことが可能となる。
非磁性導電体９の移動を支持部材６の傾斜した支持部６ｂと付勢部材のコイルスプリンクからなるバネ部材１６のみで構成して制御し、スプ−ル軸４の回転軸芯に対する径方向及び軸方向の双方に移動可能に支持できるので、部品点数を大幅に減らすことが出来る。
さらに部品点数が少なくなる事によりスプ−ル側に支持される部材全体の重量を大幅に減じることが可能となるので、スプ−ルの慣性モ−メントが大幅に小さくなり、制動力を減らしても充分に制動可能となる。
【産業上の利用可能性】
【００４５】
本発明は、仕掛け投擲時のスプールフリー回転に制動力を付与するバックラッシュ防止装置を備えた魚釣用両軸受型リールに利用が可能である。
【図面の簡単な説明】
【００４６】
【図１】第１実施例で、魚釣用両軸受型リ−ルの要部断面平面図である。
【図２】同魚釣用両軸受型リ−ルの反ハンドル側の要部拡大断面平面図である。
【図３】同非磁性導電体の外観側面図である。
【図４】同非磁性導電体のハンドル側から見た外観側面図である。
【図５】同魚釣用両軸受型リ−ルのハンドル側の要部拡大断面平面図である。
【図６】第１実施例の変形例で、魚釣用両軸受型リ−ルの反ハンドル側の要部拡大断面平面図である。
【図７】第２実施例で、魚釣用両軸受型リ−ルの反ハンドル側の要部拡大断面平面図である。
【図８】第３実施例で、魚釣用両軸受型リ−ルの反ハンドル側の要部拡大断面平面図である。
【図９】同支持部材の側面図と一部拡大側面図である。
【図１０】第４実施例で、魚釣用両軸受型リ−ルの反ハンドル側の要部拡大断面平面図である。
【図１１】第５実施例で、魚釣用両軸受型リ−ルの反ハンドル側の要部拡大断面平面図である。
【符号の説明】
【００４７】
Ａ  リ−ル本体
４  スプ−ル軸
５  スプ−ル
６、６′、６″  支持部材
１２、９  非磁性導電体
１５、５５、５９、６０  磁石
１６、５２  付勢部材（バネ部材）
Ｄ  磁気制動装置
【図１】
2005073667.tif 000003
【図２】
2005073667.tif 000004
【図３】
2005073667.tif 000005
【図４】
2005073667.tif 000006
【図５】
2005073667.tif 000007
【図６】
2005073667.tif 000008
【図７】
2005073667.tif 000009
【図８】
2005073667.tif 000010
【図９】
2005073667.tif 000011
【図１０】
2005073667.tif 000012
【図１１】
2005073667.tif 000013